【手続補正書】
【提出日】平成25年10月18日(2013.10.18)
【手続補正１】
【補正対象書類名】明細書
【補正対象項目名】００８８
【補正方法】変更
【補正の内容】
【００８８】
本明細書では、そうではないと明確に述べられないかまたは用法の脈絡によってそれとは反対を示されない限り、本明細書の主題の実施形態が、ある種の特徴または要素を含む（ｃｏｍｐｒｉｓｉｎｇ）、含む（ｉｎｃｌｕｄｉｎｇ）、含有する（ｃｏｎｔａｉｎｉｎｇ）、有する（ｈａｖｉｎｇ）、それらからなるまたはそれらでもしくはそれらから構成されると述べられるかまたは記載される場合、明確に述べられるかまたは記載されるものに加えて１つ以上の特徴または要素がこの実施形態中に存在してもよい。しかしながら、本明細書の主題の代わりの実施形態は、ある種の特徴または要素から本質的になると述べられるかまたは記載されてもよく、その実施形態において、実施形態の運用の原則または特徴的な特性を実質的に変更するであろう特徴または要素はその中に存在しない。本明細書の主題のさらなる代わりの実施形態は、ある種の特徴または要素からなると述べられるかまたは記載されてもよく、その実施形態において、またはそれのごくわずかな変形において、具体的に述べられるかまたは記載される特徴または要素だけが存在する。
本明細書では、そうではないと明確に述べられないかまたは用法の脈絡によってそれとは反対を示されない限り、
（ａ）本明細書に列挙される量、サイズ、範囲、調合物、パラメーター、ならびに他の量および特性は、特に用語「約」によって修正されるときに、正確であってもよいが、正確である必要はなく、そしてまたおおよそであってもよくおよび／または、本発明の脈略内で、述べられた値への機能的なおよび／または使用できる等価性を有するその外側のそれらの値の述べられた値内への包含だけでなく、許容範囲、換算係数、丸め、測定誤差などを反映して、述べられるものより大きくてももしくは小さくてもよく；
（ｂ）部、百分率または比の全数量は、重量による部、百分率または比として与えられ；
（ｃ）本発明の要素または特徴の存在の言明または記載に関して不定冠詞「ａ」または「ａｎ」の使用は、要素または特徴の存在を数の上で１つに限定せず；そして
（ｄ）単語「含む（ｉｎｃｌｕｄｅ）」、「含む（ｉｎｃｌｕｄｅｓ）」および「含む（ｉｎｃｌｕｄｉｎｇ）」は、実際にそれが当てはまらない場合、あたかもそれらの後に語句「限定なしに」が続くかのように読まれ、解釈されるべきである。
【手続補正２】
【補正対象書類名】明細書
【補正対象項目名】００８９
【補正方法】変更
【補正の内容】
【００８９】
以上、本発明を要約すると下記の通りである。
１．芳香族テトラカルボン酸部分、芳香族ジアミン部分、および次式（ＩＶ）：
【化１５】
2013508534.tif 000001
（式中、Ｒ4、Ｒ5、Ｒ6およびＲ7はそれぞれ独立して、Ｈ、Ｂｒ、Ｃｌ、Ｆ、アルキル、アルコキシまたはフルオロアルキルから選択される）
の構造で表されるような、無水フタル酸、またはその誘導体から得られる部分を含むポリマー鎖を含む耐摩耗性の剛性ポリイミド。
２．無水フタル酸またはその誘導体から得られる部分のモル数対芳香族テトラカルボン酸部分のモル数の比が約０．００５以上なおかつ約０．０２以下である上記１に記載のポリイミド。
３．Ｒ4、Ｒ5、Ｒ6およびＲ7がそれぞれＨであるか；またはＲ4、Ｒ5、Ｒ6およびＲ7がそれぞれＢｒである上記１に記載のポリイミド。
４．−Ｏ−、−Ｎ（Ｈ）−Ｃ（Ｏ）−、−Ｓ−、−ＳＯ2−、−Ｃ（Ｏ）−、−Ｃ（Ｏ）−Ｏ−、−Ｃ（ＣＨ3）2−、−Ｃ（ＣＦ3）2−、−（ＣＨ2）−、および−ＮＨ（ＣＨ3）−からなる群から選択される１０モル％未満の結合をその中に含む上記１に記載のポリイミド。
５．（ａ）約４０重量部以上なおかつ約９２重量部以下の上記１に記載のポリイミド；（ｂ）約８重量部以上なおかつ約６０重量部以下の黒鉛；および（ｃ）０重量部以上なおかつ約５．０重量部以下の、セピオライト、アタパルジャイトおよびカオリナイトからなる群の１つ以上のメンバーから選択される充填剤を混合剤で含む組成物。
６．次式（ＩＩ）：
【化１６】
2013508534.tif 000002
（式中、Ｒ1は四価の芳香族基であり、各Ｒ3は独立して、水素もしくはＣ1〜Ｃ10アルキ
ル基、またはそれらの混合物である）
の構造で表されるような芳香族テトラカルボン酸部分を含む上記５に記載の組成物。
７．前記ポリイミドが、３，３’，４，４’−ビフェニルテトラカルボン酸、３，３’，４，４’−ビフェニルテトラカルボン酸二無水物、２，３，３’，４’−ビフェニルテトラカルボン酸、２，３，３’，４’−ビフェニルテトラカルボン酸二無水物、ピロメリット酸、ピロメリット酸二無水物、３，３’，４，４’−ベンゾフェノンテトラカルボン酸、３，３’，４，４’−ベンゾフェノンテトラカルボン酸二無水物、２，３，６，７−ナフタレンテトラカルボン酸、１，４，５，８−ナフタレンテトラカルボン酸、２，３，６，７−ナフタレンテトラカルボン酸二無水物、１，４，５，８−ナフタレンテトラカルボン酸二無水物からなる群の１つ以上のメンバーに由来する芳香族テトラカルボン酸部分を含む上記５に記載の組成物。
８．前記ポリイミドが、構造Ｈ2Ｎ−Ｒ2−ＮＨ2（式中、Ｒ2は、１６個以下の炭素原子を含有し、場合により、−Ｎ−、−Ｏ−、および−Ｓ−からなる群から選択される１つ以上のヘテロ原子を芳香環中に含有する二価の芳香族ラジカルである）で表されるジアミン化合物に由来する部分を含む上記５に記載の組成物。
９．前記ポリイミドが、２，６−ジアミノピリジン、３，５−ジアミノピリジン、１，２−ジアミノベンゼン、１，３−ジアミノベンゼン、１，４−ジアミノベンゼン、２，６−ジアミノトルエン、２，４−ジアミノトルエン、ベンジジン、３，３’−ジメチルベンジジン、ナフタレンジアミン、およびそれらの混合物からなる群の１つ以上のメンバーに由来するジアミン部分を含む上記５に記載の組成物。
１０．前記ポリイミドが、次式
【化１７】
2013508534.tif 000003
（式中、Ｒ2は、
ｐ−フェニレンラジカル、
【化１８】
2013508534.tif 000004
ｍ−フェニレンラジカル、
【化１９】
2013508534.tif 000005
およびそれらの混合物からなる群から選択される）
の構造で表される部分を含む上記５に記載の組成物。
１１．前記Ｒ2基の６０超〜約８５モル％がｐ−フェニレンラジカルを含み、前記Ｒ2基の約１５〜４０モル％未満がｍ−フェニレンラジカルを含む上記１０に記載の組成物。
１２．［合計（ａ）＋（ｂ）＋（ｃ）＋（ｄ）組成物の重量を基準として］約５重量％〜約７０重量％の、顔料；酸化防止剤；低下した熱膨張係数を付与する材料；高い強度特性を付与する材料；放熱または耐熱特性を付与する材料；耐コロナ性を付与する材料；電気伝導性を付与する材料；および摩耗または摩擦係数を低下させる材料からなる群のメンバーから選択される１つ以上の添加剤を含む成分（ｄ）をさらに含む上記５に記載の組成物。
１３．上記５に記載の組成物を含む物品。
１４．ブシュ、シールリング、スプリング、弁座、羽根、ワッシャー、ボタン、ローラー、クランプ、ワッシャー、ガスケット、スプライン、摩耗ストリップ、バンパー、スライドブロック、スプール、ポペット、弁板、ラビリンスシールまたはスラストプラグとして二次加工される上記１３に記載の物品。
１５．（ａ）芳香族テトラカルボン酸化合物、芳香族ジアミン化合物、および次式（ＩＶ）：
【化２０】
2013508534.tif 000006
（式中、Ｒ4、Ｒ5、Ｒ6、およびＲ7はそれぞれ独立して、Ｈ、Ｂｒ、Ｃｌ、Ｆ、アルキル、アルコキシ、またはフルオロアルキルから選択される）
の構造で表されるような、無水フタル酸、またはその誘導体を溶媒中で接触させてポリアミック酸を作り出す工程と；
（ｂ）前記ポリアミック酸をイミド化する工程と
を含む、耐摩耗性ポリイミドの製造方法。
１６．無水フタル酸、またはその誘導体のモル数対芳香族テトラカルボン酸化合物のモル数の比が約０．００５以上なおかつ約０．０２以下である上記１５に記載の方法。
１７．工程（ｂ）のイミド化の前に黒鉛を前記ポリアミック酸と混合する工程をさらに含む上記１５に記載の方法。
１８．（ａ）次式（ＩＶ）
【化２１】
2013508534.tif 000007
（式中、Ｒ4、Ｒ5、Ｒ6、およびＲ7はそれぞれ独立して、Ｈ、Ｂｒ、Ｃｌ、Ｆ、アルキル、アルコキシ、またはフルオロアルキルである）
の構造で表されるような、無水フタル酸、または無水フタル酸の誘導体で、約５０未満の重合度（「ＤＰ」）を有する硬質芳香族ポリイミドを末端キャップして末端キャップされたポリイミドを形成する工程と；
（ｂ）前記末端キャップされたポリイミドを、約６０超のＤＰを有するキャップされていない硬質芳香族ポリイミドと、重量で約１部の末端キャップされたポリイミド対約３〜約１０部のキャップされていないポリイミドの比で混合する工程と
を含む、耐摩耗性ポリイミドの製造方法。
１９．前記末端キャップされたポリイミドの前記ＤＰが約２０〜約５０の範囲にある上記１８に記載の方法。
２０．前記キャップされていないポリイミドの前記ＤＰが約８０〜約１２０の範囲にある上記１８に記載の方法。
【手続補正３】
【補正対象書類名】特許請求の範囲
【補正対象項目名】全文
【補正方法】変更
【補正の内容】
【特許請求の範囲】
【請求項１】
芳香族テトラカルボン酸部分、芳香族ジアミン部分、および次式（IV）：
【化１】
2013508534.tif 000008
（式中、Ｒ4、Ｒ5、Ｒ6およびＲ7はそれぞれ独立して、Ｈ、Ｂｒ、Ｃｌ、Ｆ、アルキル、
アルコキシまたはフルオロアルキルから選択される）
の構造で表されるような、無水フタル酸、またはその誘導体から得られる部分を含むポリマー鎖を含む耐摩耗性の剛性ポリイミド。
【請求項２】
（ａ）約４０重量部以上なおかつ約９２重量部以下の請求項１に記載のポリイミド；（ｂ）約８重量部以上なおかつ約６０重量部以下の黒鉛；および（ｃ）０重量部以上なおかつ約５.０重量部以下の、セピオライト、アタパルジャイトおよびカオリナイトからなる群の１つ以上のメンバーから選択される充填剤を混合剤で含む組成物。
【請求項３】
請求項２に記載の組成物を含む物品。
【請求項４】
（ａ）芳香族テトラカルボン酸化合物、芳香族ジアミン化合物、および次式（IV）：
【化２】
2013508534.tif 000009
（式中、Ｒ4、Ｒ5、Ｒ6、およびＲ7はそれぞれ独立して、Ｈ、Ｂｒ、Ｃｌ、Ｆ、アルキル、アルコキシ、またはフルオロアルキルから選択される）
の構造で表されるような、無水フタル酸、またはその誘導体を溶媒中で接触させてポリアミック酸を作り出す工程と；
（ｂ）前記ポリアミック酸をイミド化する工程と
を含む、耐摩耗性ポリイミドの製造方法。
【請求項５】
（ａ）次式（IV）
【化３】
2013508534.tif 000010
（式中、Ｒ4、Ｒ5、Ｒ6、およびＲ7はそれぞれ独立して、Ｈ、Ｂｒ、Ｃｌ、Ｆ、アルキル、アルコキシ、またはフルオロアルキルである）
の構造で表されるような、無水フタル酸、または無水フタル酸の誘導体で、約５０未満の重合度（「ＤＰ」）を有する硬質芳香族ポリイミドを末端キャップして末端キャップされたポリイミドを形成する工程と；
（ｂ）前記末端キャップされたポリイミドを、約６０超のＤＰを有するキャップされていない硬質芳香族ポリイミドと、重量で約１部の末端キャップされたポリイミド対約３〜約１０部のキャップされていないポリイミドの比で混合する工程と
を含む、耐摩耗性ポリイミドの製造方法。